(57)【要約】【課題】通常は、受信データのメモリへの保存完了時点で正常受信応答を送信元へ返信する即時応答モードで受信するが、特定送信元からの受信の場合は正常受信応答の返信タイミングを出力処理完了時とするように自動的に切換えることのできるファクシミリ装置を提供する。【解決手段】特定送信元を予め登録しておく。そして、ファクシミリ受信出力動作を行う場合に、送信元が特定送信元か否かを調べ、特定送信元の場合は、受信した画像データをハードディスク装置１５に一旦記憶してからこれを読み出して印刷等の出力処理を行い、該出力処理が完了した時点で正常受信応答を送信元へ送信する出力処理後応答モードで動作し、特定送信元でなければ、記憶完了時点で正常受信応答を送信元へ送信する即時応答モードで動作する。【選択図】図２
2011124961.tif 000002
【特許請求の範囲】
【請求項１】
ファクシミリ通信を行う通信部と、
前記通信部によって受信した画像データが記憶される記憶部と、
画像データを印刷または転送によって出力する出力部と、
前記通信部によって画像データを受信すると共に該受信した画像データを前記記憶部に記憶してから読み出して前記出力部によって出力するファクシミリ受信出力動作を制御する制御部と、
を有し、
前記制御部は、前記ファクシミリ受信出力動作を、前記画像データの前記記憶部への記憶が完了した時点で前記画像データの受信が正常に終了したことを示す正常受信応答を前記画像データの送信元へ送信する即時応答モードと、前記画像データの前記出力部による出力が完了した時点で前記正常受信応答を前記送信元へ送信する出力処理後応答モードのいずれで行うかを前記送信元に応じて切り替える
ことを特徴とするファクシミリ装置。
【請求項２】
前記ファクシミリ受信出力動作を前記出力処理後応答モードで行うように指定された送信元が登録される登録部をさらに有し、
前記制御部は、前記ファクシミリ受信出力動作を行う際に、該ファクシミリ受信出力動作において受信する画像データの送信元が前記登録部に登録されている送信元と一致する場合は、前記出力処理後応答モードを選択する
ことを特徴とする請求項１に記載のファクシミリ装置。
【請求項３】
前記制御部は、前記ファクシミリ受信出力動作を前記出力処理後応答モードで行う場合は、受信側通信能力の解像度として、当該ファクシミリ装置の最高受信解像度より低い解像度を前記送信元に通知する
ことを特徴とする請求項１または２に記載のファクシミリ装置。
【請求項４】
前記制御部は、着呼時に交換機から送られてくる送信局識別情報に基づいて前記送信元を認識する
ことを特徴とする請求項１に記載のファクシミリ装置。
【発明の詳細な説明】
【技術分野】
【０００１】
本発明は、画像データを正常受信した応答を送信元に返信するタイミングを切り替えることのできるファクシミリ装置に関する。
【背景技術】
【０００２】
ファクシミリ通信では、送信元から送られてきた画像データが正常に受信されたことを示す受信完了応答を、１ページ分の画像データの受信が完了する毎に受信側から送信元へ返信するようになっている。従来は、受信中にその受信した画像データを逐次印刷し、該ページの印刷が正常に完了した時点で受信完了応答を返信する方式が一般的であった。この方式では、画像データの受信完了から印刷完了までの時間差によって受信完了応答のタイミングが遅くなり、その分、通信時間が長くなっていた。
【０００３】
近年の多くのファクシミリ装置は、受信した画像データを不揮発メモリに一旦格納した後、該不揮発メモリから読み出して印刷を行うと共に、受信中に不揮発メモリへ１ページ分の画像データの格納が完了する毎にそのページに関する受信完了応答を送信元へ返信する方式（即時応答モード）を採用することで、通信時間の短縮を図っている。
【０００４】
たとえば、１ページ受信し終わった時点で、画像メモリがオーバフローすることなく受信画像を蓄積したかどうかを判定し、蓄積できた場合は直ちに送信側に肯定応答し、蓄積していない場合は印刷してから肯定応答するファクシミリ装置がある（特許文献１参照。）。
【０００５】
また、ダイレクトＳＭＴＰ通信により送られてきた画像データを受信する際に、受信後の応答を受信完了直後に送信するモードと、受信後の応答を受信データの印刷完了後に送信するモードのいずれかを選択・設定する手段を備えたインターネットファクシミリ装置がある（特許文献２参照）。モードの選択・設定は、たとえば、受信側の装置において当該装置単位に行うことができるようになっている。
【先行技術文献】
【特許文献】
【０００６】
【特許文献１】特開平５−２２５６１号公報
【特許文献２】特開２００７−２０８７１２号公報
【発明の概要】
【発明が解決しようとする課題】
【０００７】
受信中に１ページ分の画像データの不揮発メモリへの格納が完了する毎に受信完了応答を送信元へ返信する方式（即時応答モード）は、通信時間を短縮することができる。しかし、この方式を採用した場合、送信機側では、受信機側で受信が正常に完了したことの確認はできるが、受信した画像データの印刷や転送などの出力処理が正常に完了したかどうかまでを確認することはできない。たとえば、不揮発メモリへの格納が完了した時点で受信完了応答を返送したが消耗品切れ等のために印刷が行われていない場合には、受信のあったことに受信機側のユーザが長期間気付かないこともあり、送信が正常に完了したと認識している送信側のユーザとの間でトラブルが発生する可能性もある。そこで、通常は、通信時間が短縮される即時応答モードで受信するが、重要な文書等を送信してくる特定の相手からの受信については、出力処理の結果を送信元に通知したい、といった要請がある。
【０００８】
しかし、メモリオーバーの有無によって即時応答モードとするか否か切り替える特許文献１に開示の方法や、モードの選択・設定を受信機側で当該装置単位に行う特許文献２に開示の方法では上記の要請に対応することはできなかった。
【０００９】
本発明は、上記の問題を解決しようとするものであり、通常は通信時間が短縮される即時応答モードで受信するが特定の相手からの受信では出力処理の結果を送信元に通知することのできるファクシミリ装置を提供することを目的としている。
【課題を解決するための手段】
【００１０】
かかる目的を達成するための本発明の要旨とするところは、次の各項の発明に存する。
【００１１】
［１］ファクシミリ通信を行う通信部と、
前記通信部によって受信した画像データが記憶される記憶部と、
画像データを印刷または転送によって出力する出力部と、
前記通信部によって画像データを受信すると共に該受信した画像データを前記記憶部に記憶してから読み出して前記出力部によって出力するファクシミリ受信出力動作を制御する制御部と、
を有し、
前記制御部は、前記ファクシミリ受信出力動作を、前記画像データの前記記憶部への記憶が完了した時点で前記画像データの受信が正常に終了したことを示す正常受信応答を前記画像データの送信元へ送信する即時応答モードと、前記画像データの前記出力部による出力が完了した時点で前記正常受信応答を前記送信元へ送信する出力処理後応答モードのいずれで行うかを前記送信元に応じて切り替える
ことを特徴とするファクシミリ装置。
【００１２】
上記発明では、画像データの記憶が完了した時点で正常受信応答を送信元へ送信する即時応答モードと、画像データの出力処理が完了した時点で正常受信応答を送信元へ送信する出力処理後応答モードのいずれでファクシミリ受信出力動作を行うかが送信元に応じて自動的に切り替えられる。
【００１３】
［２］前記ファクシミリ受信出力動作を前記出力処理後応答モードで行うように指定された送信元が登録される登録部をさらに有し、
前記制御部は、前記ファクシミリ受信出力動作を行う際に、該ファクシミリ受信出力動作において受信する画像データの送信元が前記登録部に登録されている送信元と一致する場合は、前記出力処理後応答モードを選択する
ことを特徴とする［１］に記載のファクシミリ装置。
【００１４】
上記発明では、送信元が、予め登録部に登録されている特定送信元と一致する場合に、出力処理後応答モードが選択される。
【００１５】
［３］前記制御部は、前記ファクシミリ受信出力動作を前記出力処理後応答モードで行う場合は、受信側通信能力の解像度として、当該ファクシミリ装置の最高受信解像度より低い解像度を前記送信元に通知する
ことを特徴とする［１］または［２］に記載のファクシミリ装置。
【００１６】
上記発明では、出力処理後応答モードで動作する場合には、受信側通信能力として低解像度を送信機へ通知する。これにより、送信機は通知された解像度以下の解像度で画像データを送信するので、送信データ量が少なくなり、その分、通信時間が短縮される。したがって、出力処理後応答モードで動作するために受信正常応答の送信タイミングが遅くなって通信時間が延びたとしても、低解像度で通信することによって通信時間が短縮されるので、全体として通信時間の増長を少なく抑えることができる。
【００１７】
［４］前記制御部は、着呼時に交換機から送られてくる送信局識別情報に基づいて前記送信元を認識する
ことを特徴とする［１］に記載のファクシミリ装置。
【００１８】
上記発明では、送信局識別情報（ＣａｌｌｅｒＩＤ）は、受信側通信能力を送信元へ通知するＤＩＳ信号を送信する前に取得できるので、送信局識別情報（ＣａｌｌｅｒＩＤ）によって送信元が特定送信元か否かを認識して解像度を下げるか否かを決定した上で、受信側通信能力を送信元に通知することができる。
【発明の効果】
【００１９】
本発明に係るファクシミリ装置によれば、通常は通信時間が短縮される即時応答モードで受信しつつ、特定の相手からの受信については出力処理の結果を送信元に通知するように自動的に切り替えることができる。
【図面の簡単な説明】
【００２０】
【図１】本発明の実施の形態に係るファクシミリ装置の接続環境の一例を示す説明図である。
【図２】本発明の実施の形態に係るファクシミリ装置の概略構成を示すブロック図である。
【図３】本発明の実施の形態に係るファクシミリ装置の表示部に表示される応答モード設定画面の一例を示す正面図である。
【図４】本発明の実施の形態に係るファクシミリ装置の表示部に表示される特定送信元登録画面の一例を示す正面図である。
【図５】ファクシミリ受信出力動作の応答モードに関する設定内容が登録された設定情報テーブルの一例を示す説明図である。
【図６】複数ページの画像を受信する場合における一般的なファクシミリ通信の信号シーケンスを示す説明図である。
【図７】ＣａｌｌｅｒＩＤ受信時の信号シーケンスを示す説明図である。
【図８】本発明の実施の形態に係るファクシミリ装置が行うファクシミリ受信出力動作を示す流れ図である。
【図９】本発明の実施の形態に係るファクシミリ装置が行う出力処理を示す流れ図である。
【発明を実施するための形態】
【００２１】
以下、図面に基づき本発明の実施の形態を説明する。
【００２２】
図１は、本発明の実施の形態に係るファクシミリ装置１０の接続環境の一例を示している。最小構成は受信側と送信側の各１台のファクシミリ装置１０がネットワークや電話網などの通信網２を通じて通信可能に接続されればよい。ファクシミリ装置１０は、Ｇ３ファクシミリでもネットワークファクシミリでもよい。送信側のファクシミリ装置１０を送信機（または発呼装置）１０Ｓ、送信機が送ったデータを受信する側のファクシミリ装置１０を受信機（または被呼装置）１０Ｒとも呼ぶものとする。
【００２３】
受信機１０Ｒは、画像データを受信すると共にその受信した画像データを印刷もしくは他のファクシミリ装置１０へ転送するファクシミリ受信出力動作を行う際の応答モード（画像データの受信が正常に終了したことを示す正常受信応答を送信元へ返信するタイミングに関する動作モード）として、即時応答モードと出力処理後応答モードを備えている。
【００２４】
即時応答モードは、ページ毎に、受信した画像データの不揮発メモリ（ハードディスク装置などでもよい）への記憶が完了した時点で、そのページの画像データの受信が正常に終了したことを示す正常受信応答を送信元へ送信する応答モードである。出力処理後応答モードは、ページ毎に、受信した画像データの出力処理（印刷または転送）が完了した時点で、そのページの画像データの受信が正常に終了したことを示す正常受信応答を送信元へ送信する応答モードである。ファクシミリ装置１０は、通常はファクシミリ受信出力動作を即時応答モードで行うが、画像データの送信元が特定の相手(特定送信元)の場合には出力処理後応答モードで行うように自動で切り替えるようになっている。
【００２５】
図２は、ファクシミリ装置１０の概略構成を示すブロック図である。ファクシミリ装置１０は、当該ファクシミリ装置１０の動作を統括制御するＣＰＵ（Central Processing Unit）１１にバス１２を介してＲＯＭ（Read Only Memory）１３と、ＲＡＭ（Random Access Memory）１４と、ハードディスク装置１５と、不揮発メモリ１６と、画像処理部１７と、スキャナ部２１と、プリンタ部２２と、表示部２３と、操作部２４と、ネットワークＩ／Ｆ部２５と、モデム２６とを接続して構成される。
【００２６】
ＲＯＭ１３は各種のプログラムや固定データが格納された読み出し専用メモリである。ＣＰＵ１１がＲＯＭ１３に格納されているプログラムに従って処理を実行することによってファクシミリ装置１０としての各機能が実現される。ＲＡＭ１４はＣＰＵ１１がプログラムを実行する際に各種のデータを一時的に格納するワークメモリや画像データを格納する画像メモリ、通信用のバッファメモリ等として使用される。
【００２７】
ハードディスク装置１５は大容量の不揮発記憶装置であり、送信予約されたジョブやその画像データ、他のファクシミリ装置１０から受信した画像データの一時記憶や保存などに使用される。
【００２８】
不揮発メモリ１６は、電源をオフしても記憶内容が保持されるメモリであり、ユーザ情報や各種の設定情報のほか、アドレス帳（宛先名称に送信先のアドレスや電話番号等を対応付けて登録したもの）やファクシミリ受信出力動作の応答モードに関する設定や特定送信元の情報などが登録される。
【００２９】
画像処理部１７は、画像データの縮小や解像度変換、符号化、復号化などの処理を行う。
【００３０】
スキャナ部２１は、原稿を光学的に読み取って画像データを取得する機能を果たす。スキャナ部２１は、たとえば、原稿に光を照射する光源と、その反射光を受けて原稿を幅方向に１ライン分読み取るラインイメージセンサと、ライン単位の読取位置を原稿の長さ方向に順次移動させる移動手段と、原稿からの反射光をラインイメージセンサに導いて結像させるレンズやミラーなどからなる光学経路、ラインイメージセンサの出力するアナログ画像信号をデジタルの画像データに変換する変換部などを備えて構成される。
【００３１】
プリンタ部２２は、画像データに応じた画像を記録紙に印刷する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。他の方式のプリンタであっても構わない。
【００３２】
表示部２３は、液晶ディスプレイなどで構成され、操作画面、設定画面、確認画面、通知画面などの各種の画面を表示する。操作部２４は、スタートキー、ストップキー、テンキーなどの各種のボタン類と、液晶ディスプレイの表面に設けられて押下された座標位置を検出するタッチパネルなどで構成され、ユーザがファクシミリ装置１０に対して行う各種の操作を受け付ける。
【００３３】
ネットワークＩ／Ｆ部２５は、ＬＡＮ（Local Area Network）やインターネットなどのネットワークを通じて他のファクシミリ装置１０や外部端末と通信する機能を果たす。モデム２６は、デジタル信号を電話回線で送受信可能なアナログ信号に変換したりその逆変換をしたりする機能を果たす。電話回線を通じたファクシミリ通信は、発呼（ダイアル）や着呼、電話回線との接続などを行う図示省略のＮＣＵ（Network Control Unit）とモデム２６を通じて行われる。
【００３４】
図３は、ファクシミリ受信出力動作の応答モード（即時応答モードや出力処理後応答モード）に関する設定操作をユーザから受け付ける応答モード設定画面３０の一例を示している。応答モード設定画面３０はＣＰＵ１１の制御により表示部２３に表示される。応答モード設定画面３０には、即時応答の設定欄３１と、出力処理後応答の設定欄３２と、受信解像度低の設定欄３３と、宛先登録釦３４と、宛先表示欄３５と、キャンセル釦３６と、ＯＫ釦３７が配置されている。
【００３５】
即時応答の設定欄３１は、すべての相手機からのファクシミリ受信出力動作において即時応答モードを使用する場合に選択される。出力処理後応答の設定欄３２は、少なくとも１つの特定送信元からの受信において出力処理後応答モードを使用する場合に選択される。即時応答の設定欄３１と出力処理後応答の設定欄３２はいずれか一方が排他的に選択されるようになっている。受信解像度低の設定欄３３は、出力処理後応答モードでファクシミリ受信を行う場合に、送信元へ通知する受信側通信能力としての解像度を、当該ファクシミリ装置１０が有する最高解像度より低い所定の解像度に変更する場合に選択される。図中の「レ」点は選択された状態を示している。
【００３６】
宛先登録釦３４は、ファクシミリ受信出力動作を出力処理後応答モードで行う送信元(特定送信元)を設定登録するための操作釦である。宛先登録釦３４を操作すると図４の特定送信元登録画面４０が表示部２３に表示される。宛先表示欄３５には、登録されている特定送信元が表示される。受信解像度低の選択欄３３による受信解像度低の設定と宛先登録釦３４の操作は、出力処理後応答の設定欄３２にて出力処理後応答が「設定有り」とされた場合に可能になる。また、出力処理後応答が「設定有り」とされた状態で、特定送信元が１つも登録されていない(未登録の)場合は、すべての送信元に対して出力処理後応答モードでファクシミリ受信出力動作を行う。
【００３７】
キャンセル釦３６が操作されると、応答モード設定画面３０で今回行った操作がリセットされる。ＯＫ釦３７が操作されると応答モード設定画面３０に表示されている設定内容が確定されて不揮発メモリ１６に登録される。
【００３８】
図４は、特定送信元登録画面４０の一例を示している。特定送信元登録画面４０はＣＰＵ１１の制御により表示部２３に表示される。特定送信元登録画面４０には、登録宛先釦４１と、登録宛先表示設定欄４２と、直接入力釦４３と、宛先入力表示欄４４と、キャンセル釦４５と、ＯＫ釦４６が配置されている。
【００３９】
登録宛先釦４１は、アドレス帳などに既に登録されている宛先の中から特定送信元を選択して登録するための操作釦である。登録宛先表示設定欄４２には、アドレス帳などに既に登録されている宛先が表示されると共に、表示されている宛先の中から特定送信元に設定する宛先の選択を受け付ける。詳細には、登録宛先表示設定欄４２にて宛先を選択した後に登録宛先釦４１を押下すると、その選択されている宛先が特定送信元として登録される。
【００４０】
直接入力釦４３は電話番号やアドレスを直接入力し、これを特定送信元として登録するための操作釦であり、宛先入力表示欄４４は直接入力された電話番号やアドレスの表示を行う。電話番号やアドレスの入力は図示省略、テンキーや入力キーにて受け付ける。直接入力釦４３を押下すると宛先入力表示欄４４への電話番号やアドレスの入力を受け付ける。入力後にキャンセル釦４５を押下すると電話番号やアドレスの直接入力が完了し、宛先入力表示欄４４に表示されている電話番号やアドレスが特定送信元として登録される。
【００４１】
キャンセル釦４５が操作されると、特定送信元登録画面４０で今回行った操作がリセットされる。ＯＫ釦４６が操作されると特定送信元登録画面４０で今回行われた設定内容が確定されて不揮発メモリ１６に登録される。また、キャンセル釦４５、ＯＫ釦４６のいずれかが操作されると表示部２３の表示は応答モード設定画面３０に戻る。
【００４２】
図５は、ファクシミリ受信出力動作の応答モードに関する設定内容が登録された設定情報テーブル６０の一例を示している。設定情報テーブル６０は、不揮発メモリ１６に記憶される。設定情報テーブル６０は、出力処理後応答設定の登録欄６１と、受信解像度低設定の登録欄６２と、登録されている各特定送信元の情報が登録される特定送信元情報登録欄６３で構成される。
【００４３】
出力処理後応答設定の登録欄６１には、応答モード設定画面３０において即時応答の設定欄３１が選択された場合（すべてのファクシミリ受信出力動作において即時応答モードを使用する場合）は「設定無し」が登録され、応答モード設定画面３０にて出力処理後応答の設定欄３２が選択された場合（少なくとも１つの特定送信元からの受信において出力処理後応答モードを使用する設定が成された場合）には「設定有り」が登録される。
【００４４】
また、受信解像度低設定の登録欄６２には、応答モード設定画面３０にて受信解像度低の設定欄３３が選択された場合は「設定有り」が登録され、応答モード設定画面３０にて受信解像度低の設定欄３３が選択されていない場合は「設定無し」が登録される。
【００４５】
図６は、複数ページ(本例では２ページ）の画像を受信する場合における一般的なファクシミリ通信の信号シーケンスを示している。発呼装置（送信機）１０Ｓと被呼装置（受信機）１０Ｒとの間で通信が確立すると、発呼装置１０Ｓは被呼装置１０ＲへＣＮＧ（呼び出し）信号を送る。ＣＮＧ信号を受けた被呼装置１０Ｒはこの信号により発呼側はファクシミリ装置であることを認識し、自機（被呼側）がファクシミリ装置であることを示すＣＥＤ(応答)信号を発呼装置１０Ｓへ送信する。さらに被呼装置１０Ｒはファクシミリ受信機としての自機の能力(受信側通信能力)を示すＤＩＳ（受信機の能力表示）信号を発呼装置１０Ｓへ送信する。
【００４６】
ＤＩＳ信号を受信した発呼装置１０Ｓは、自機に設定されている送信条件（通信速度や解像度など）とＤＩＳ信号によって認識した被呼装置１０Ｒ側の能力とから、解像度などの通信モードを決定し、該決定した通信モードを表したＤＣＳ（通信モード決定）信号を被呼装置１０Ｒへ送信する。その後、発呼装置１０Ｓは通信回線の状態を試すためのトレーニングＴＣＦ信号を被呼装置１０Ｒに向けて送信し、被呼装置１０Ｒは、その受信状況が良好であり、また自機での受信準備が完了している場合に発呼装置１０Ｓに対してＣＦＲ（受信準備確認）信号を送信する。ＣＦＲ信号を受けた発呼装置１０Ｓは、トレーニングに続いてファクシミリメッセージ(１ページ分の画像データ)を被呼装置１０Ｒへ送信する。その後、次ページがあることを示すＭＰＳ（マルチページ）信号を被呼装置１０Ｒへ送信する。
【００４７】
被呼装置１０Ｒは、ファクシミリメッセージ(１ページ分の画像データ)を正常に受信できた場合は、該受信が正常に終了したことを示す正常受信応答としてＭＣＦ（メッセージ確認）信号を発呼装置１０Ｓに返信する。
【００４８】
ＭＣＦ信号を受信した発呼装置１０Ｓは、トレーニングに続いて次のファクシミリメッセージ(次の１ページ分の画像データ)を被呼装置１０Ｒへ送信した後、当該ページが最終ページであることを示すＥＯＰ（手順終了）信号を被呼装置１０Ｒに送信する。被呼装置１０Ｒはそのファクシミリメッセージを正常に受信できた場合はＭＣＦ（メッセージ確認）信号を発呼装置１０Ｓに返信する。ＭＣＦ信号を受けた発呼装置１０Ｓは通信を終了することを示すＤＣＮ（切断命令）信号を被呼装置１０Ｒに送信する。その後、発呼装置１０Ｓ、被呼装置１０Ｒはそれぞれ回線を切断して処理を終了する。
【００４９】
本実施の形態に係るファクシミリ装置１０は、ファクシミリ受信出力動作を即時応答モードで行う場合には、受信した１ページ分の画像データをハードディスク装置１５に格納し終えた時点でＭＣＦ信号を発呼装置１０Ｓへ送信し、その後、そのページの出力処理を行う。一方、ファクシミリ受信出力動作を出力処理後応答モードで行う場合は、受信した１ページ分の画像データをハードディスク装置１５に一旦格納してからこれを読み出し、この読み出した画像データに関する出力処理(印刷または転送)を行い、該出力処理が完了した時点でＭＣＦ信号を発呼装置１０Ｓへ送信するようになっている。
【００５０】
また、ファクシミリ受信出力動作を出力処理後応答モードで行う場合に受信解像度低の設定が「設定有り」となっている場合には、ＤＩＳ信号によって発呼装置１０Ｓに通知する解像度を、自機の最高解像度より低い所定の解像度(低解像度)に変更し、その通知した解像度以下の解像度で発呼装置１０Ｓに画像データを送信させるようになっている。
【００５１】
ところで、出力処理後応答モードでの受信は送信元が予め登録された特定送信元である場合に行われるので、受信解像度低の設定が「設定有り」となっている場合にＤＩＳ信号で受信側通信能力の解像度として低解像度を通知するためには、ＤＩＳ信号の送信前に発呼装置１０Ｓが特定送信元か否かを判断しなければならない。ファクシミリ通信の信号シーケンスでは、発呼装置１０Ｓから送られてくるＴＳＩ（送信局識別）信号等によって発呼装置１０Ｓを認識できるが、ＴＳＩ信号はＤＩＳ信号の送信後（ＤＣＳ信号を受けるタイミング）に送られてくるので、ＤＩＳ信号の送信時点で被呼装置１０Ｒが発呼装置１０Ｓの識別情報を得ることはできない。
【００５２】
そこで、ここでは、送信元の認識にＣａｌｌｅｒＩＤを利用する。ＣａｌｌｅｒＩＤとは、受信者が応答する前に、発信者の電話番号を受信側で識別する（たとえば、電話機の液晶画面に表示する）ための情報である。
【００５３】
図７は、ＣａｌｌｅｒＩＤ受信時の信号シーケンスを示している。発呼装置１０Ｓが被呼装置１０Ｒの電話番号で発呼（ダイヤル）すると、交換局の交換機５は、ＣＡＲ（情報受信端末起動）信号を被呼装置１０Ｒへ送信する。これを受けた被呼装置１０Ｒが一次応答信号を交換機５に返すと、交換機５は発呼装置１０Ｓの電話番号をＣａｌｌｅｒＩＤとして被呼装置１０Ｒへ送信する。ＣａｌｅｒＩＤを受信した被呼装置１０Ｒは受信完了信号を交換機５へ返送する。その後、交換機５は被呼装置１０Ｒに対して呼び出し信号を送信する。
【００５４】
本実施の形態のファクシミリ装置１０が被呼装置（受信機）１０Ｒである場合、交換機５から受信したＣａｌｌｅｒＩＤをＲＡＭ１４などに保存する。
【００５５】
図８は、受信機としてのファクシミリ装置１０が行うファクシミリ受信出力動作を示している。この処理は、着呼後、ＤＩＳ信号の送信前に開始される。ファクシミリ装置１０のＣＰＵ１１は、設定情報テーブル６０の出力処理後応答設定の登録欄６１を参照し、出力処理後応答設定が「設定有り」か否かを調べる（ステップＳ１０１）。「設定なし」の場合はステップＳ１１３へ移行する。
【００５６】
「設定あり」の場合は（ステップＳ１０１；Ｙｅｓ）、この通信の着呼時に交換機５からＣａｌｌｅｒＩＤを受信して保存しているか否かを調べ(ステップＳ１０２)、ＣａｌｌｅｒＩＤが保存されていない場合は（ステップＳ１０２；Ｎｏ）ステップＳ１０６へ移行する。
【００５７】
ＣａｌｌｅｒＩＤが保存されている場合は（ステップＳ１０２；Ｙｅｓ）、該ＣａｌｌｅｒＩＤの示す送信元が特定送信元か否かを設定情報テーブル６０の特定送信元情報登録欄６３を参照して調べる（ステップＳ１０３）。詳細には、特定送信元情報登録欄６３に特定送信元が登録されている場合には、そのいずれかとＣａｌｌｅｒＩＤの示す送信元とが一致する場合に該ＣａｌｌｅｒＩＤの示す送信元は特定送信元であると判定する。また、特定送信元情報登録欄６３に特定送信元が１つも登録されていない場合は、すべての送信元を特定送信元として扱うので、ＣａｌｌｅｒＩＤの示す送信元は特定送信元であると判定する。
【００５８】
ＣａｌｌｅｒＩＤの示す送信元が特定送信元でない場合は（ステップＳ１０３；Ｎｏ）ステップＳ１１３へ移行する。ＣａｌｌｅｒＩＤの示す送信元が特定送信元である場合は（ステップＳ１０３；Ｙｅｓ）、設定情報テーブル６０の受信解像度低設定の登録欄６２を参照し、受信解像度低設定の有無を確認する(ステップＳ１０４)。受信解像度低設定が「設定なし」の場合は（ステップＳ１０４；Ｎｏ）、ステップＳ１０６へ移行する。受信解像度低設定が「設定あり」の場合は（ステップＳ１０４；Ｙｅｓ）、受信側通信能力の解像度を、当該ファクシミリ装置１０の受信時の最高解像度より低い所定の解像度（低解像度）に変更する（ステップＳ１０５）。
【００５９】
ステップＳ１０６では、ＤＩＳ信号を送信元へ送信する。すなわち、ステップＳ１０５によって変更されている場合はその変更後の低解像度が受信側通信能力の解像度として送信元に通知され、ステップＳ１０５を経ていない場合（ステップＳ１０２；ＮｏまたはステップＳ１０４；Ｎｏから到来した場合）は、当該ファクシミリ装置１０が持つ受信時の最高解像度が受信側通信能力の解像度として送信元に通知される。たとえば、最高解像度が１５．４ライン／ミリの場合には、７．７ライン／ミリや３．８５ライン／ミリが通知する低解像度にされる。通知する低解像度をいかなる解像度にするかは固定的に定められてもよいし、ユーザによって選択・設定できるようにされてもよい。
【００６０】
ＤＩＳ信号の送信後、再度、送信元が特定送信元か否かを判定する（ステップＳ１０７）。ここでの判定は、ＴＳＩ信号によって認識した送信局識別情報に基づいて行う。判定方法は前述のＣａｌｌｅｒＩＤの場合と同様である。もちろん、ＣａｌｌｅｒＩＤがある場合はステップＳ１０３と同様にＣａｌｌｅｒＩＤに基づいて判定してもよい。送信元が特定送信元でない場合は（ステップＳ１０７；Ｎｏ）ステップＳ１１４へ移行して即時応答モードでの受信動作を行う。
【００６１】
送信元が特定送信元である場合は(ステップＳ１０７；Ｙｅｓ)、出力処理後応答モードでファクシミリ受信出力動作を行う。詳細には、図６のシーケンスに従ってＤＩＳ送信後のファクシミリ手順が進められ、送信機１０Ｓからファクシミリメッセージの送信が開始されると、該ファクシミリメッセージ（１ページ分の画像データ）を受信する（ステップＳ１０８）。また、受信した画像データを順次ハードディスク装置１５に保存する（ステップＳ１０９）。上記の受信および保存の処理は１ページ分の画像データの受信および保存が完了するまで継続される（ステップＳ１１０；Ｎｏ）。
【００６２】
１ページ分の画像データの受信および保存が完了すると（ステップＳ１１０；Ｙｅｓ）、直ちに当該ページの画像データをハードディスク装置１５から読み出してその出力処理（印刷または転送）を実行する（ステップＳ１１１）。そして当該ページの出力処理が完了したら、送信元に対してＭＣＦ信号（正常受信応答）を送信する（ステップＳ１１２）。ＭＣＦ信号送信後は、図６の通信シーケンスに従って動作する。なお、次ページがある場合は、ＭＣＦ信号を送信した後、ステップＳ１０８に戻って処理が繰り返される。
【００６３】
出力処理後応答設定が「設定なし」の場合（ステップＳ１０１；Ｎｏ）、もしくはＣａｌｌｅｒＩＤの示す送信元が特定送信元でない場合（ステップＳ１０３；Ｎｏ）は、即時応答モードでファクシミリ受信出力動作が行われる。詳細には、まず、当該ファクシミリ装置１０が持つ受信時の最高解像度を受信側通信能力の解像度としてＤＩＳ信号を送信する(ステップＳ１１３）。その後、図６のシーケンスに従ってＤＩＳ送信後のファクシミリ手順が進められ、送信機１０Ｓからファクシミリメッセージの送信が開始されると、該ファクシミリメッセージ（１ページ分の画像データ）を受信する（ステップＳ１１４）。また、受信した画像データを順次ハードディスク装置１５に保存する（ステップＳ１１５）。上記の受信および保存の処理は１ページ分の画像データの受信および保存が完了するまで継続される（ステップＳ１１６；Ｎｏ）。１ページ分の画像データの受信および保存が完了したら（ステップＳ１１６；Ｙｅｓ）、送信元に対してＭＣＦ信号（正常受信応答）を送信する（ステップＳ１１７）。ＭＣＦ信号を送信した後の通信シーケンスは図６に示すようになる。
【００６４】
ファクシミリ装置１０は、ＭＣＦ信号の送信後、当該ページの画像データをハードディスク装置１５から読み出してその出力処理（印刷または転送）を実行して（ステップＳ１１８）処理を終了する。なお、次ページがある場合、通信に関する動作についてはＭＣＦ信号を送信後、ステップＳ１１４に戻って処理が繰り返される。出力処理については保存の完了したページについて順次行われる。
【００６５】
なお、ファクシミリ受信出力動作において受信した画像データは出力処理の完了まで一時的にハードディスク装置１５に保存され、出力処理が完了すると消去される。
【００６６】
図９は、出力処理の流れを示している。出力処理にはプリンタ部２２によって画像データに基づく画像を印刷する動作と、ネットワークや電話網を通じて他のファクシミリ装置１０へ画像データを転送する動作とがある。いずれの動作を行うかは装置単位であるいは送信元毎に予め設定されている。出力処理では、ＣＰＵ１１は転送設定が成されているか否かを調べ(ステップＳ２０１)、転送設定が成されている場合は（ステップＳ２０１；Ｙｅｓ）、設定されている転送先へ画像データを送信する処理を行う(ステップＳ２０２)。転送設定が成されていない場合は（ステップＳ２０１；Ｎｏ）、プリンタ部２２によって画像データに基づく画像を記録紙に印刷出力する(ステップＳ２０３)。
【００６７】
このように、本実施の形態に係るファクシミリ装置１０では、送信元が予め設定された特定送信元の場合は、出力処理後応答モードに自動的に切り替えられてファクシミリ受信出力動作を行うので、特定送信元からの受信においては出力処理が正常に完了した時点でＭＣＦ信号が送信元へ送信されるようになり、送信元は、受信機１０Ｒにおいて正常に出力処理が完了したか否かを認識することができる。
【００６８】
また、受信解像度低の設定が成されている場合には、ＤＩＳ信号で通知する受信側通信能力としての解像度を下げるので、送信機１０Ｓから送られてくる画像データが低解像度になり、その分、データ量が少なくなって、ファクシミリメッセージ受信処理に要する通信時間が短縮される。したがって、出力処理後応答モードで動作することによってＭＣＦ信号の返信タイミングが遅れても、全体としての通信時間が大幅に長くなることが防止される。
【００６９】
また、送信元が特定送信元でない場合には、受信した画像データがハードディスク装置１５（不揮発の記憶部）へ保存された時点でＭＣＦ信号を返信する即時応答モードでファクシミリ受信出力動作が行われるので、出力処理完了待ちのためにＭＣＦ信号の返信タイミングが遅れることがなく、その分、通信時間を短縮することができる。
【００７０】
そして、送信元が特定送信元か否かによって即時応答モードと出力処理後応答モードとを自動的に切り替えるので、重要な文書等を送信してくる特定の送信機１０Ｓからの受信については、出力処理の結果を送信元に通知しつつ、他の送信機１０Ｓからの受信においては即時応答モードによって通信時間を短縮することができる。
【００７１】
また、出力処理が転送の場合に、出力処理後応答モードで動作することにより、ネットワークエラーの発生などによって転送できなかったことを送信機１０Ｓ側で確認することができる。
【００７２】
以上、本発明の実施の形態を図面によって説明してきたが、具体的な構成は実施の形態に示したものに限られるものではなく、本発明の要旨を逸脱しない範囲における変更や追加があっても本発明に含まれる。
【００７３】
たとえば、実施の形態では、１ページ分の画像データの受信および保存が完了してからそのページに関する出力処理を開始するようにしたが、１ページ分の保存完了前であっても既に保存された画像データに対して出力処理を順次行うように構成されてもよい。たとえばプリンタ部２２がページプリンタでなければページの途中の任意の箇所で印刷を一時停止できるので、受信した画像データに対して順次印刷処理を進めるようにしてもよい。
【００７４】
なお、即時応答モードで動作する場合の出力処理は、受信したデータの保存完了後に即座に行う必要はなく、たとえば、複数ページ受信の場合には、全ページの受信が完了して通信を切断してから出力処理を開始するようにしてもよい。また、出力処理後応答モードにおいてその出力処理が転送の場合には、ファクシミリ受信中の通信回線とは別の通信回線での転送をファクシミリ受信動作と並行に行うことになる。たとえば、ファクシミリ受信は電話網を通じたＧ３手順で行い、転送をインターネットファクシミリで行う。
【００７５】
また、出力処理を印刷または転送としたが、いずれか一方のみでもかなわない。
【００７６】
また、実施の形態では送信元が特定送信元か否かを設定情報テーブル６０を参照して判定するようにしたが、たとえば、外部のサーバに問い合わせて確認するように構成されてもよい。
【００７７】
なお、受信が異常な場合の応答は、その異常が検出された時点で応答すればよい。たとえば、出力処理後応答モードが設定されている場合であっても、画像データのハードディスク装置１５への保存動作において既に異常が検出された場合には、出力処理に入る前に送信元へ応答するように構成される。
【符号の説明】
【００７８】
２…通信網
５…交換機
１０…ファクシミリ装置
１０Ｒ…受信機
１０Ｒ…被呼装置
１０Ｓ…送信機
１０Ｓ…発呼装置
１１…ＣＰＵ
１２…バス
１３…ＲＯＭ
１４…ＲＡＭ
１５…ハードディスク装置
１６…不揮発メモリ
１７…画像処理部
２１…スキャナ部
２２…プリンタ部
２３…表示部
２４…操作部
２５…ネットワークＩ／Ｆ部
２６…モデム
３０…応答モード設定画面
３１…即時応答の設定欄
３２…出力処理後応答の設定欄
３３…受信解像度低の設定欄
３４…宛先登録釦
３５…宛先表示欄
３６…キャンセル釦
３７…ＯＫ釦
４０…特定送信元登録画面
４１…登録宛先釦
４２…登録宛先表示設定欄
４３…直接入力釦
４４…宛先入力表示欄
４５…キャンセル釦
４６…ＯＫ釦
６０…設定情報テーブル
６１…出力処理後応答設定の登録欄
６２…受信解像度低設定の登録欄
６３…特定送信元情報登録欄
【図１】
2011124961.tif 000003
【図２】
2011124961.tif 000004
【図３】
2011124961.tif 000005
【図４】
2011124961.tif 000006
【図５】
2011124961.tif 000007
【図６】
2011124961.tif 000008
【図７】
2011124961.tif 000009
【図８】
2011124961.tif 000010
【図９】
2011124961.tif 000011